(57)【要約】【課題】タッチパネルから暗証番号などの情報を入力するタッチパネル型入力装置において、利用者の手の動きで近くの不審者によって入力情報を覚えられてしまうことを防止可能な入力装置を提供する。【解決手段】操作者確認用カメラ１４が利用者２１の背景を撮影する。不審者検出用カメラ１０−２が利用者２１の背景を撮影する。画像解析部１３０が操作者確認用カメラ１４及び不審者検出用カメラ１０−２の撮影画像を入力し、不審者２２が撮影されているかを判定する。画像解析部１３０によって不審者２２が記録されていると判定されると、表示エリア変更信号生成部１４０は表示エリア変更信号を生成して表示エリア変更部１２０に出力する。表示エリア変更部１２０は表示エリア変更信号を入力すると、「周囲に人がいます」等の警告を液晶表示器１１１に表示してテンキーの配置（表示エリア）を変更する。【選択図】図３
2010285756.tif 000002
【特許請求の範囲】
【請求項１】
表示部を有すると共に入力用の複数のキーからなるキー領域を前記表示部に表示し、表示された前記キー領域のキーから入力を受け付けるタッチパネルと、
前記表示部における前記キー領域の表示エリアの変更を指示すると共に変更後における前記キー領域の表示エリアを指定する表示エリア変更信号に基づいて、前記表示部に表示されている前記キー領域の表示エリアを変更する表示エリア変更部と
を備えたことを特徴とするタッチパネル型入力装置。
【請求項２】
前記タッチパネル型入力装置は、さらに、
前記タッチパネルが設置された設置場所を含む前記設置場所の周辺の画像を撮影するカメラから撮影画像を入力し、入力された撮影画像に前記タッチパネルを操作しようとする操作候補者と操作候補者以外の人物とが記録されている場合に、前記操作候補者と操作候補者以外の者とを区別して認識する画像解析部と、
前記画像解析部によって前記操作候補者以外の者が認識された場合に前記表示エリア変更信号を生成し、生成された前記表示エリア変更信号を前記表示エリア変更部に出力する表示エリア変更信号生成部と
を備えたことを特徴とする請求項１記載のタッチパネル型入力装置。
【請求項３】
前記画像解析部は、
入力された前記撮影画像に前記操作候補者と前記操作候補者以外の人物とが記録されている場合に、前記操作候補者以外の者と前記操作候補者との位置関係を認識し、
前記表示エリア変更信号生成部は、
前記画像解析部によって認識された前記位置関係に基づいて前記キー領域の表示エリアを決定し、決定された前記表示エリアを指定する前記表示エリア変更信号を生成することを特徴とする請求項２記載のタッチパネル型入力装置。
【請求項４】
前記表示エリア変更信号生成部は、
前記画像解析部によって前記操作候補者以外の者が所定の人数以上認識された場合には、前記キー領域のキー配列の変更指示をさらに含む前記表示エリア変更信号を生成し、
前記表示エリア変更部は、
前記表示エリア変更信号に含まれる前記キー配列の変更指示に従って、前記表示エリア変更後の前記キー領域のキー配列を変更することを特徴とする請求項２または３のいずれかに記載のタッチパネル型入力装置。
【請求項５】
前記タッチパネルは、
前記キー領域の表示エリアの変更を受け付ける変更ボタンを前記表示部に表示し、
前記表示エリア変更信号生成部は、
前記タッチパネルの前記表示部に表示された前記変更ボタンがタッチされた場合には、前記キー領域を前記表示部の所定の表示エリアへ表示することを指定する前記表示エリア変更信号を生成することを特徴とする請求項２〜４のいずれかに記載のタッチパネル型入力装置。
【請求項６】
前記タッチパネルは、
前記キー領域の表示エリアの変更を受け付ける変更ボタンを前記表示部に表示し、
前記表示エリア変更信号生成部は、
前記タッチパネルの前記表示部に表示された前記変更ボタンがタッチされた場合に、引き続いて前記表示部のいずれかの位置がタッチされた場合には、引き続きタッチされた前記位置を基準に前記キー領域を表示することを指定する前記表示エリア変更信号を生成することを特徴とする請求項２〜４のいずれかに記載のタッチパネル型入力装置。
【請求項７】
前記表示エリア変更部は、
前記表示エリア変更信号に基づいて前記キー領域の表示エリアを変更する際に、前記キー領域に、ダミーであるダミーキーを表示する表示処理と、受け付け可能な複数個の同一キーを表示する表示処理との少なくともいずれかの表示処理を実行することを特徴とする請求項１〜６のいずれかに記載のタッチパネル型入力装置。
【発明の詳細な説明】
【技術分野】
【０００１】
この発明は、例えば入退室管理端末として使用される装置である、タッチパネルを介して情報入力を受け付けるタッチパネル型入力装置に関する。
【背景技術】
【０００２】
例えば、特許文献１では第三者に暗証番号を知られることを防止するため、個人カードから識別データを読み取り、識別データに対応する内容及び配列のキー表示（いわゆるテンキー）を表示する技術が開示されている。この技術では、識別データが同じであれば、表示されるテンキーの内容及び配列は同じであるという課題がある。
【０００３】
また、従来では以下のようにして、情報を入力して電気錠を解錠し、その際に利用者を記録していた。
【０００４】
図１３は、入退室管理システムにおいて使用される従来の端末装置（カメラ付きカードリーダー１０）の使用態様を示す図である。図１３は、室外を示しており、電気錠２０が組み込まれた扉３０の向こう側が室内である。扉３０の近くにはカメラ付きカードリーダー１０が設置されている。カメラ付きカードリーダー１０は、利用者２１による正当な情報入力があると、電気錠２０を解錠する。カメラ付きカードリーダー１０の前面には、操作者確認用カメラ１４、カードリーダー１５、タッチパネル付きテンキーパネル１６が組み込まれている。また、カメラ付きカードリーダー１０が設置されたフロアには、利用者２１と不審者２２がいる。
【０００５】
図１４はカメラ付きカードリーダー１０の構成図である。カメラ付きカードリーダー１０は、ＣＰＵ１１、電気錠２０との通信を仲立ちする電気錠Ｉ／Ｆ（ＩｎｔｅｒＦａｃｅ）１２、メモリ１３、操作者（利用者）を撮影する操作者確認用カメラ１４、カードリーダー１５、表示したテンキーから暗証番号の入力を受け付けたり、所定の情報を表示するタッチパネル付きテンキーパネル１６を備えている。
【０００６】
（動作）
次にカメラ付きカードリーダー１０の動作について説明する。カメラ付きカードリーダー１０は、操作者確認用カメラ１４で利用者２１を撮影し、ＣＰＵ１１がメモリ１３に利用者データとして撮影画像を保管する。また、利用者２１がカードリーダー１５でカード照合した後、タッチパネル付きテンキーパネル１６に暗証番号等を入力すると、ＣＰＵ１１が電気錠Ｉ／Ｆ１２を経由して扉３０内の電気錠２０を解錠する。
【先行技術文献】
【特許文献】
【０００７】
【特許文献１】特開２００５−７６３７７号公報
【特許文献２】特開２００７−２０５０２９号公報
【発明の概要】
【発明が解決しようとする課題】
【０００８】
特許文献１の場合は、識別データが同じであれば、表示されるテンキーの内容及び配列は同じであるので、繰り返しによって利用者の手の動きで入力する暗証番号を覚えられてしまう危険性がある。
【０００９】
また、図１３、図１４で述べた従来の端末装置では、利用者２１がタッチパネル付きテンキーパネル１６に暗証番号を入力する時、近く（背後の）不審者２２（利用者以外の人物）に利用者２１の手の動きから、入力する暗証番号を覚えられてしまう（盗み見されてしまう）という課題があった。
【００１０】
この発明は、利用者がタッチパネルに情報を入力する際に、利用者の手の動きで近くの不審者に入力情報を覚えられてしまうことを防止できる入力装置の提供を目的とする。
【課題を解決するための手段】
【００１１】
この発明のタッチパネル型入力装置は、
表示部を有すると共に入力用の複数のキーからなるキー領域を前記表示部に表示し、表示された前記キー領域のキーから入力を受け付けるタッチパネルと、
前記表示部における前記キー領域の表示エリアの変更を指示すると共に変更後における前記キー領域の表示エリアを指定する表示エリア変更信号に基づいて、前記表示部に表示されている前記キー領域の表示エリアを変更する表示エリア変更部と
を備えたことを特徴とする。
【発明の効果】
【００１２】
この発明により、タッチパネルから暗証番号などの情報を利用者が入力する際に、利用者の手の動きで近くの不審者によって入力情報を覚えられてしまうことを防止できる入力装置を提供できる。
【図面の簡単な説明】
【００１３】
【図１】実施の形態１におけるカメラ付きカードリーダー（１０−１）の使用態様を示す図。
【図２】実施の形態１におけるカメラ付きカードリーダー（１０−１）の構成図。
【図３】実施の形態１におけるカメラ付きカードリーダー（１０−１）として実現されるタッチパネル型入力装置１００のブロック構成図。
【図４】実施の形態１における液晶表示器１１１に表示されたテンキーを示す図。
【図５】実施の形態１における「キー領域の表示エリア」を説明する図。
【図６】実施の形態１におけるタッチパネル型入力装置１００によるキー領域の表示エリア変更の動作を示すフローチャート。
【図７】実施の形態１における表示エリア変更部１２０によるテンキー表示エリアの変更を説明する図。
【図８】実施の形態１における表示エリア変更部１２０によって表示された変更後のテンキーを示す図。
【図９】実施の形態２におけるタッチパネル型入力装置１００の動作を説明するフローチャート。
【図１０】実施の形態２における液晶表示器１１１に表示される通常配置のテンキーを示す図。
【図１１】実施の形態３におけるダミーキー等の挿入を示す図。
【図１２】実施の形態４におけるタッチパネル型入力装置１００のハードウェア構成図。
【図１３】従来技術を示す図。
【図１４】従来技術を示す図。
【発明を実施するための形態】
【００１４】
以下の実施の形態では、タッチパネル型入力装置を説明する。以下では、タッチパネル型入力装置の実施形態として、入退室管理端末装置等に使用されるカードリーダー装置の場合を例に説明する。以下ではタッチパネル型入力装置が入退室管理端末であるカードリーダーとして実現される場合を説明しているが、一例である。例えば銀行やコンビニエンスストアに設置された端末装置として実現することもできる。
【００１５】
以下に説明するタッチパネル型入力装置の特徴は、利用者の周囲に不審者を検出したことを契機として、あるいは利用者がボタンを押し下げる手動操作を契機として、タッチパネル付きテンキーパネルにおけるテンキーの表示エリアを変更する点にある。この特徴により、不審者によって、利用者の暗証番号等の情報が盗み見みされることを容易に防止できる。
【００１６】
実施の形態１．
図１〜図８を参照して実施の形態１を説明する。実施の形態１は、カメラ付きカードリーダー（タッチパネル型入力装置）が画像解析によって不審者の存在を自動的に検出し、タッチパネルに表示しているテンキーの表示エリアを変更する場合を説明する。
【００１７】
図１は、実施の形態１のカメラ付きカードリーダー（１０−１）の使用態様を示す図である。図１は、従来技術として示した図１３とほぼ同様の図であるが、図１３との相違は、カメラ付きカードリーダー１０−１が盗み見検出、不審者検出用カメラ１０−２（以下、不審者検出用カメラ１０−２という）を備えた点が図１３と異なる。
【００１８】
図２は、実施の形態１のカメラ付きカードリーダー（１０−１）の構成図である。図２は、図１４とほぼ同様であるが、図１４に対して不審者検出用カメラ１０−２を備えている。また、ＣＰＵ１１の処理も図１４の場合と異なるのはもちろんである。
【００１９】
（タッチパネル型入力装置１００）
図３は、カメラ付きカードリーダー（１０−１）として実現されるタッチパネル型入力装置１００のブロック構成図である。タッチパネル型入力装置１００は、液晶表示器１１１（表示部）を備えたタッチパネル１１０、表示エリア変更部１２０、画像解析部１３０、表示エリア変更信号生成部１４０を備えている。後述する実施の形態４で述べるように、コンピュータであるタッチパネル型入力装置１００が、プログラムによって「〜部」を有する装置として機能する。
【００２０】
（タッチパネル１１０）
タッチパネル１１０は、液晶表示器１１１を有すると共に入力用の複数のキーからなるキー領域を液晶表示器１１１に表示し、キー領域のキーから入力を受け付ける。
図４は、液晶表示器１１１に表示されたテンキー（キー領域）を示す図である。
【００２１】
（表示エリア変更部１２０）
表示エリア変更部１２０は、表示エリア変更信号生成部１４０によって生成される「表示エリア変更信号」に基づいて、液晶表示器１１１に表示されているキー領域の表示エリアを変更する。「表示エリア変更信号」とは、液晶表示器１１１におけるキー領域の表示エリアの変更を指示すると共に変更後におけるキー領域の表示エリアを指定する信号である。
図５は、「キー領域の表示エリア」を説明する図である。「キー領域の表示エリア」とは、図５に示すように、液晶表示器１１１におけるテンキーの位置及び表示面積を意味する。したがって、「キー領域の表示エリアの変更する」とは、図５における「変更後の表示エリア１」のように、もとのテンキー表示に対して表示位置のみ変更して表示面積を変えない場合や、「変更後の表示エリア２」のように、表示位置の変更と、表示面積の変更（もとのテンキー領域の拡大、あるいは縮小）との両方の場合もある。
【００２２】
（画像解析部１３０）
画像解析部１３０は、タッチパネル１１０が設置された設置場所を含む前記設置場所の周辺の画像を撮影するカメラ（操作者確認用カメラ１４、不審者検出用カメラ１０−２）から撮影画像を入力し、入力された撮影画像にタッチパネル１１０を操作しようとする利用者２１である操作候補者と、操作候補者以外の人物とが記録されている場合に、操作候補者と操作候補者以外の者とを区別して認識する。
【００２３】
（表示エリア変更信号生成部１４０）
表示エリア変更信号生成部１４０は、画像解析部１３０によって操作候補者以外の者（不審者）が認識された場合に表示エリア変更信号を生成し、表示エリア変更信号を表示エリア変更部１２０に出力する。
【００２４】
（タッチパネル型入力装置１００の動作概要）
前記のように構成されたタッチパネル型入力装置１００は、利用者が暗証番号をタッチパネル１１０に表示されたテンキーから入力する時に、操作者確認用カメラ１４で利用者２１の背景の映像を撮影し、不審者検出用カメラ１０−２で利用者２１の周囲の映像を合わせて撮影し、利用者２１の周囲に不審者２２が映っていると判別した場合、タッチパネル１１０の液晶表示器１１１に「周囲に人がいますので、液晶パネルのテンキー配置を変更します。」などのメッゼージを表示し、テンキーの表示エリアを変更する。
【００２５】
図６はタッチパネル型入力装置１００によるキー領域の表示エリア変更の動作を示すフローチャートである。図６を参照して動作を説明する。
【００２６】
（１）Ｓ１１において、操作者確認用カメラ１４が利用者２１（操作者）の背景（あるいは利用者２１の背景及び利用者２１）を撮影する。
（２）Ｓ１２において、不審者検出用カメラ１０−２が利用者２１の背景を撮影する。
（３）Ｓ１３において、画像解析部１３０が操作者確認用カメラ１４及び不審者検出用カメラ１０−２によって撮影された画像を入力し、利用者２１の他に不審者２２が撮影されているかを判定する。画像解析部１３０は、撮影画像に利用者２１と不審者２２とが記録されている場合には、利用者２１と不審者２２とを区別して認識可能である。
（４）Ｓ１４において、画像解析部１３０によって不審者２２が記録されていないと判定されると、テンキー配置は変更されない（Ｓ１５）。
（５）Ｓ１４において画像解析部１３０によって不審者２２が記録されていると判定されると、表示エリア変更信号生成部１４０は表示エリア変更信号を生成し、表示エリア変更部１２０に出力する。この場合、どのような変更するべき表示エリアを指定する表示エリア変更信号を生成するかは、画像解析部１３０による不審者２２の画像解析結果との関係で予め設定されている。この設定は、別途後述する。
（６）表示エリア変更部１２０は表示エリア変更信号を入力すると、「周囲に人がいます」等の警告を液晶表示器１１１に表示し（Ｓ１６）、テンキーの配置（表示エリア）を変更する（Ｓ１７）。
【００２７】
（不審者２２の位置と表示エリアとの関係）
図７は、表示エリア変更信号生成部１４０による表示エリア変更信号の生成と、表示エリア変更信号に従って、表示エリア変更部１２０がテンキーの表示エリアを変更する場合を説明する図である。画像解析部１３０は、入力された撮影画像に利用者２１と不審者２２とが記録されている場合に、利用者２１と不審者２２との位置関係を認識することができる。表示エリア変更信号生成部１４０は、画像解析部１３０よって認識された前記位置関係に基づいてキー領域の表示エリアを決定し、決定した表示エリアを指定する表示エリア変更信号を生成し、表示エリア変更部１２０はその表示エリア変更信号に従って、テンキーの表示エリアを変更する。
図７の
「変更配置１」は、「天井方向から見た平面図（ａ）」に対応し、
「変更配置２」は、「天井方向から見た平面図（ｂ）」に対応する。
「天井方向から見た平面図（ａ）」とは、タッチパネル型入力装置１００の設置された場所を天井方向から見下ろした平面図に相当する。「天井方向から見た平面図（ａ）」は、液晶表示器１１１に正対する利用者２１の右斜め後方に不審者２２が存在する場合を示している。画像解析部１３０は、この状態の撮影画像から、この位置関係を認識できる。画像解析部１３０が「天井方向から見た平面図（ａ）」の位置関係を認識した場合、表示エリア変更信号生成部１４０は、テンキーを液晶表示器１１１の左下に表示することを決定し、これを指定する表示エリア変更信号を生成する。また、画像解析部１３０が「天井方向から見た平面図（ｂ）」（液晶表示器１１１に正対する利用者２１の左斜め後方に不審者２２が存在）の位置関係を認識した場合も同様であり、表示エリア変更信号生成部１４０は、テンキーを液晶表示器１１１の右下に表示することを決定し、これを指定する表示エリア変更信号を生成する。
【００２８】
「天井方向から見た平面図（ａ）」及び「天井方向から見た平面図（ｂ）」の場合は、液晶表示器１１１と利用者２１と不審者２２とが略直線上になるので、テンキー操作を見ようとする不審者２２からは利用者２１の体が障害になって見えにくいという効果がある。
【００２９】
（不審者２２の数と表示エリアとの関係）
画像解析部１３０は、入力された撮影画像に利用者２１と複数の不審者２２とが記録されている場合には、不審者２２の人数を認識することができる。表示エリア変更信号生成部１４０は、画像解析部１３０によって不審者２２の人数が閾値として設定された人数以上認識された場合には、表示エリアの変更に加え、テンキーのキー配列の変更指示をも含む前記表示エリア変更信号を生成する。表示エリア変更部１２０は、表示エリア変更信号に含まれるキー配列の変更指示に従って、表示エリア変更後のキー領域のキー配列を変更する。図８の変更配置３は、表示エリア変更部１２０によって表示された変更後のテンキーを示す図であり、図７の「天井方向から見た平面図（ａ）」の場合の表示に対応する図であるが、不審者が２名いる場合を示している。図８に示すように、通常の配置（図７と同じとする）に対して表示エリアを変更すると共に、テンキーのキー配列も変更している。
【００３０】
このように、不審者２２が複数人認識された場合にはテンキーの表示エリアに加え、テンキーの配列も変更するので、各不審者２２によりテンキー操作内容が知られることをより困難とすることができる。
【００３１】
実施の形態２．
次に実施の形態２を説明する。実施の形態２は、テンキーの表示エリアを手動で変更指定する場合を説明する。装置として実施する場合には、手動のみの機能でもよいし、実施の形態１で説明した画像認識による自動指定機能と共に手動指定機能を併設しても構わない。実施の形態２のタッチパネル型入力装置１００の構成は図３と同じである。以下に実施の形態２を説明する。
【００３２】
図９は、実施の形態２のタッチパネル型入力装置１００の動作を説明するフローチャートである。以下では手動指定機能のみの場合を想定して説明する。
【００３３】
（１）Ｓ２１において、操作者確認用カメラ１４が利用者２１の背景（あるいは利用者２１の背景及び利用者２１）を撮影する。
（２）Ｓ２２において、不審者検出用カメラ１０−２が利用者２１の背景を撮影する。
（３）Ｓ２３において、画像解析部１３０は操作者確認用カメラ１４及び不審者検出用カメラ１０−２による撮影画像を入力し液晶表示器１１１に表示する。
（４）Ｓ２４において、利用者２１は液晶表示器１１１の映像をみて、テンキーの表示エリアを変更するかどうかを決めることができる。図１０は、液晶表示器１１１に表示される通常配置のテンキーを示す図である。液晶表示器１１１には「変更キー１１２」（変更ボタン）が表示されている。表示エリア変更信号生成部１４０は、「変更キー１１２」がタッチ（押し下げ）された場合には、テンキーを液晶表示器１１１の所定の表示エリアへ表示することを指定する表示エリア変更信号を生成する。表示エリア変更部１２０は、この表示エリア変更信号に従ってテンキーの表示エリアを変更する（Ｓ２６）。この場合、変更後の表示エリアは予め設定されている。一定時間、「変更キー１１２」がタッチされなければテンキーの表示エリアは変更されない（Ｓ２５）。
【００３４】
また、手動操作の場合は、次のように表示エリアを変更してもよい。すなわち、表示エリア変更信号生成部１４０は、変更キー１１２がタッチされた場合に、引き続いて液晶表示器１１１のいずれかの位置がタッチされた場合には、引き続きタッチされた前記位置を基準にテンキーを表示することを指定する表示エリア変更信号を生成する。例えば変更キー１１２がタッチされ、引き続いて液晶表示器１１１の右下がタッチされた場合には、テンキーは図７の「変更配置２（画面右下）」ように表示される。
【００３５】
実施の形態２のタッチパネル型入力装置１００は手動によってテンキーの表示エリアを指定できるので、利用者２１の判断に基づきテンキーを表示できる。
【００３６】
実施の形態３．
次に図１１を参照して実施の形態３を説明する。実施の形態３は、図１１に示すように、表示エリアの変更に加えて、表示エリア変更部１２０が、表示エリア変更信号に基づいてテンキーの表示エリアを変更する際に、テンキーに、ダミーであるダミーキーを表示する表示処理（変更配置４）と、受け付け可能な複数個の同一キーを表示する表示処理（変更配置５）との少なくともいずれかの表示処理を実行する。
【００３７】
表示エリア変更部１２０によるこの処理により、不審者２２は、利用者２１のテンキー操作から入力値を盗み見することがさらに困難となる。
【００３８】
実施の形態４．
次に図１２を参照して実施の形態４を説明する。図１２は、コンピュータで実現されるタッチパネル型入力装置１００のハードウェア資源の一例を示す図である。図１２において、タッチパネル型入力装置１００は、プログラムを実行するＣＰＵ８１０（Ｃｅｎｔｒａｌ  Ｐｒｏｃｅｓｓｉｎｇ  Ｕｎｉｔ）を備えている。ＣＰＵ８１０は、バス８２５を介してＲＯＭ（Ｒｅａｄ  Ｏｎｌｙ  Ｍｅｍｏｒｙ）８１１、ＲＡＭ（Ｒａｎｄｏｍ  Ａｃｃｅｓｓ  Ｍｅｍｏｒｙ）８１２、通信ボード８１５、タッチパネル１１０、操作者確認用カメラ１４、不審者検出用カメラ１０−２、磁気ディスク装置８２０などと接続され、これらのハードウェアデバイスを制御する。磁気ディスク装置８２０の代わりに、フラッシュメモリなどの記憶装置でもよい。
【００３９】
ＲＡＭ８１２は、揮発性メモリの一例である。ＲＯＭ８１１、磁気ディスク装置８２０等の記憶媒体は、不揮発性メモリの一例である。これらは、記憶装置あるいは記憶部、格納部、バッファの一例である。
タッチパネル１１０は、入力部、入力装置の一例である。
【００４０】
磁気ディスク装置８２０には、オペレーティングシステム８２１（ＯＳ）、プログラム群８２３、ファイル群８２４が記憶されている。プログラム群８２３のプログラムは、ＣＰＵ８１０、オペレーティングシステム８２１により実行される。
【００４１】
上記プログラム群８２３には、以上の実施の形態の説明において「〜部」として説明した機能を実行するプログラムが記憶されている。プログラムは、ＣＰＵ８１０により読み出され実行される。
【００４２】
ファイル群８２４には、以上の実施の形態の説明において、「〜の判定結果」、「〜の算出結果」、「〜の抽出結果」、「〜の生成結果」、「〜の処理結果」として説明した情報や、データや信号値や変数値やパラメータなどが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ８１０によりメインメモリやキャッシュメモリに読み出され、抽出・検索・参照・比較・演算・計算・処理・出力・表示などのＣＰＵの動作に用いられる。抽出・検索・参照・比較・演算・計算・処理・出力・表示のＣＰＵの動作の間、情報やデータや信号値や変数値やパラメータは、メインメモリやキャッシュメモリやバッファメモリに一時的に記憶される。
【００４３】
また、以上に述べた実施の形態の説明において、データや信号値は、ＲＡＭ８１２のメモリ、磁気ディスク装置８２０の磁気ディスク等の記録媒体に記録される。また、データや信号は、バス８２５や信号線やケーブルその他の伝送媒体によりオンライン伝送される。
【００４４】
また、以上の実施の形態の説明において、「〜部」として説明したものは、「〜手段」、「〜回路」、「〜機器」であってもよく、また、「〜ステップ」、「〜手順」、「〜処理」であってもよい。すなわち、「〜部」として説明したものは、ＲＯＭ８１１に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。すなわちプログラムは、以上に述べた「〜部」としてコンピュータを機能させるものである。あるいは、以上に述べた「〜部」の手順や方法をコンピュータに実行させるものである。
【００４５】
以上の実施の形態１〜３では、タッチパネル型入力装置１００として、装置を説明したが、タッチパネル型入力装置１００の動作を、コンピュータに実行させるプログラムとして把握することも可能である。あるいは、プログラムを記録したコンピュータ読み取り可能な記録媒体として把握することも可能である。さらに、タッチパネル型入力装置１００の動作をタッチパネル型入力装置１００が行う入力方法として把握することも可能である。
【符号の説明】
【００４６】
１０，１０−１  カメラ付きカードリーダー、１０−２  不審者検出用カメラ、２１  利用者、２２  不審者、２０  電気錠、３０  扉、１１  ＣＰＵ、１２  電気錠Ｉ／Ｆ、１３  メモリ、１４  操作者確認用カメラ、１５  カードリーダー、１６  タッチパネル付きテンキーパネル、１００  タッチパネル型入力装置、１１０  タッチパネル、１１１  液晶表示器、１１２  変更キー、１２０  表示エリア変更部、１３０  画像解析部、１４０  表示エリア変更信号生成部、２００  カメラ、８１０  ＣＰＵ。
【図１】
2010285756.tif 000003
【図２】
2010285756.tif 000004
【図３】
2010285756.tif 000005
【図４】
2010285756.tif 000006
【図５】
2010285756.tif 000007
【図６】
2010285756.tif 000008
【図７】
2010285756.tif 000009
【図８】
2010285756.tif 000010
【図９】
2010285756.tif 000011
【図１０】
2010285756.tif 000012
【図１１】
2010285756.tif 000013
【図１２】
2010285756.tif 000014
【図１３】
2010285756.tif 000015
【図１４】
2010285756.tif 000016